(57)【要約】【課題】ガラス材のサッシへの取り付けを容易にするバックアップ材を提供する。【解決手段】バックアップ材１は、底部２と、底部２から立設された壁部３、４とを備える。壁部３、４の相対する壁面３ａ、４ａは、自然状態において、壁面３ａ、４ａの下端での直線間隔が、ガラス材１０の厚みよりも小さく、壁面３ａ、４ａの上端での直線間隔が、それよりも小さい。底部２は、自然状態において、下に凸の円弧状である。壁部３、４は、上に行くに連れて壁の厚みが厚い。壁部３、４間にガラス材１０を挿入すると、壁部３、４が押し拡げられ、それに伴い底部２が平面状となり、壁部３、４の両外側面３ｂ、４ｂが底部２から上に行くに連れて両外方へ拡がった形状となる。バックアップ材１を取り付けたガラス材１０をサッシ２０の溝２１に挿入すると、壁部３、４が圧縮され、ガラス材１０が溝２１内の中間位置に位置決めされて固定される。【選択図】図３
0003196655.tif 000002
【実用新案登録請求の範囲】
【請求項１】
サッシの溝にガラス材を挿入する際に、該溝とガラス材との間にできる隙間を埋めるために用いられるサッシ用のバックアップ材において、
前記ガラス材の周囲に連続的に又は断続的に取り付けて用いられる弾力のある材料により形成され、
前記ガラス材の周囲の縁に当接される底部と、該底部から前記ガラス材の両面を挟むように立設された一対の壁部とを備え、
前記一対の壁部の相対する壁面は、バックアップ材が前記ガラス材に取り付けられる前の自然状態において、その間隔が前記底部から上に行くに連れて狭くなっており、壁面の下端での直線間隔は、前記ガラス材の厚みよりも小さく、かつ、壁面の上端での直線間隔は、それよりも小さくなっており、
前記底部は、バックアップ材が前記ガラス材に取り付けられる前の自然状態において、長手方向に直交する断面視で、下に凸の円弧状とされ、
前記一対の壁部は、上に行くに連れて壁の厚みが、前記底部と繋がっている部分よりも厚くなっており、
バックアップ材が前記ガラス材に取り付けられるに際して前記一対の壁部間に前記ガラス材が挿入されるとき、前記一対の壁部が押し拡げられ、それに伴い前記底部が円弧状から平面状となり、そのときの前記壁面の下端での直線間隔が前記ガラス材の厚みと略同等となり、また、前記一対の壁部の両外側面が前記底部から上に行くに連れて両外方へ拡がった形状となり、
バックアップ材の取り付けられた前記ガラス材が前記サッシの溝に挿入されることにより、前記一対の壁部が圧縮されることを特徴とするサッシ用のバックアップ材。
【請求項２】
前記底部の外底面から前記壁部の外側面に続く部分、又は、前記壁部の外側面から上端面に続く部分は、テーパ状又は曲面状に形成されていることを特徴とする請求項1に記載のサッシ用のバックアップ材。
【請求項３】
長尺物として供給され、使用に際して適宜の長さに切って用いられることを特徴とする請求項1又は請求項２に記載のサッシ用のバックアップ材。
【考案の詳細な説明】
【技術分野】
【０００１】
本考案は、板状のフロートガラスまたはパネル（まとめてガラス材という）をサッシ（窓枠）に挿入した際にできる隙間を埋めるのに用いられる建築用材料であるバックアップ材に関する。
【背景技術】
【０００２】
従来のバックアップ材は、ポリエチレン押出発泡体等の弾力のある樹脂等でできた長尺の紐状の建築用材料で、サッシに設けられている溝に挿入したガラス材をこの溝内の中間位置に固定するため、ガラス材と溝との間にできる隙間を埋めるのに用いられる。バックアップ材を充填した後の溝には、コーキングが充填される（特許文献１を参照）。また、底部からガラス材の両面を挟むように立設された一対の壁部を備えるバックアップ材が知られている（特許文献２乃至特許文献４を参照）。
【先行技術文献】
【特許文献】
【０００３】
【特許文献１】登録実用新案第３１０２６９０号公報
【特許文献２】特開昭６３−１３６１９５号公報
【特許文献３】特開平１１−２５６９４０号公報
【特許文献４】特開平９−１３８１４号公報
【考案の概要】
【考案が解決しようとする課題】
【０００４】
特許文献１に示されるようなバックアップ材を用いて行うガラス材のサッシへの取り付けは、サッシの溝にガラス材を挿入する挿入工程と、挿入したガラス材を施工者が手で支えて溝内の中間位置に位置決めする位置決め工程と、ガラス材と溝との間にできる隙間にバックアップ材を詰める詰め込み工程と、の大きく分けて３つの工程によって行われていた。このようなバックアップ材を用いたのでは、位置決め工程及び詰め込み工程が難しく、ガラス材のサッシへの取り付けが容易でない。
【０００５】
特許文献２乃至特許文献４に示されるようなバックアップ材を用いて行うガラス材のサッシへの取り付けは、バックアップ材の一対の壁部間にガラス材を挿入して、バックアップ材をガラス材に取り付ける工程と、バックアップ材を取り付けたガラス材をサッシの溝に挿入する工程によって行われる。
【０００６】
特許文献２に示されるバックアップ材は、一対の壁部が上に行くに連れて薄くなっている。従って、このようなバックアップ材を用いたのでは、バックアップ材を取り付けたガラス材をサッシの溝に挿入したときに、ガラス側面に接触する一対の壁部が圧縮されないので、ガラス材を溝内の中間位置に正確に位置決めする（ガラス材の平面に応力がかかるとガラス材は溝内の中間位置から偏る）こと及び固定することが容易でない。
【０００７】
特許文献３に示されるバックアップ材は、一対の壁部の相対する壁面から突出するストッパによって、ガラス材を挟持するようになっており、また、一対の壁部の両外側面に形成された係止溝にサッシの凸部を係合させることによって、バックアップ材を取り付けたガラス材をサッシの溝に固定するようになっている。従って、このバックアップ材は、構造が複雑である。また、溝の幅の異なるサッシに対して、同じ寸法のバックアップ材を共用することができない。
【０００８】
特許文献４に示されるバックアップ材は、一対の壁部の両外側面に形成された溝にサッシの凸部を係合させることによって、バックアップ材を取り付けたガラス材をサッシの溝に固定するようになっている。従って、このバックアップ材は、構造が複雑である。また、溝の幅の異なるサッシに対して、同じ寸法のバックアップ材を共用することができない。また、このバックアップ材は、粘着剤を塗布した脱落防止材をガラス材の端部に貼着することによって、ガラス材からの脱落が防止されるようになっている。従って、このバックアップ材を用いたのでは、ガラス材のサッシへの取り付け作業に使用する部材が多くなり、また、ガラス材のサッシへの取り付け作業の工程が多くなる。
【０００９】
本考案は、従来例の問題を解決するためになされたものであり、ガラス材をサッシに正確な位置決め状態にて取り付けることを容易にし、また、構造が簡単で、溝の幅の異なるサッシに対して共用することを可能とするバックアップ材を提供することを目的とする。
【課題を解決するための手段】
【００１０】
上記目的を達成するために本考案のバックアップ材は、サッシの溝にガラス材を挿入する際に、該溝とガラス材との間にできる隙間を埋めるために用いられるサッシ用のバックアップ材において、ガラス材の周囲に連続的に又は断続的に取り付けて用いられる弾力のある材料により形成され、ガラス材の周囲の縁に当接される底部と、該底部からガラス材の両面を挟むように立設された一対の壁部とを備え、一対の壁部の相対する壁面は、バックアップ材がガラス材に取り付けられる前の自然状態において、その間隔が底部から上に行くに連れて狭くなっており、壁面の下端での直線間隔は、ガラス材の厚みよりも小さく、かつ、壁面の上端での直線間隔は、それよりも小さくなっており、底部は、バックアップ材がガラス材に取り付けられる前の自然状態において、長手方向に直交する断面視で、下に凸の円弧状とされ、一対の壁部は、上に行くに連れて壁の厚みが、底部と繋がっている部分よりも厚くなっており、バックアップ材がガラス材に取り付けられるに際して一対の壁部間にガラス材が挿入されるとき、一対の壁部が押し拡げられ、それに伴い底部が円弧状から平面状となり、そのときの壁面の下端での直線間隔がガラス材の厚みと略同等となり、また、一対の壁部の両外側面が底部から上に行くに連れて両外方へ拡がった形状となり、バックアップ材の取り付けられたガラス材がサッシの溝に挿入されることにより、一対の壁部が圧縮される、ものである。
【００１１】
本考案のバックアップ材は、底部の外底面から壁部の外側面に続く部分、又は、壁部の外側面から上端面に続く部分は、テーパ状又は曲面状に形成されている、ことが好ましい。
【００１２】
また、本考案のバックアップ材は、長尺物として供給され、使用に際して適宜の長さに切って用いられる、ことが好ましい。
【考案の効果】
【００１３】
本考案によれば、バックアップ材をガラス材に取り付けて、バックアップ材を取り付けたガラス材をサッシの溝に挿入するだけで、一対の壁部がガラス材とサッシとの間で圧縮されることにより、ガラス材を溝内の中間位置に正確に位置決めして固定することができ、ガラス材に応力がかかってもガラス材が溝内の中間位置から偏ることがない。しかも、バックアップ材は、容易にガラス材に取り付けることができ、ガラス材に取り付けられたバックアップ材は、ガラス材に取り付けられた状態に保持される。また、ガラス材に取り付けられたバックアップ材は、底部が平面状となるため、底部が地面や周囲の部材に引っ掛ってバックアップ材がガラス材から外れるという不測の事態を防ぐことができる。そして、ガラス材に取り付けられたバックアップ材は、両外側面が底部から上に行くに連れて両外方へ拡がった形状となるため、また、底部が平面状となるため、バックアップ材を取り付けたガラス材をサッシの溝に容易に挿入することができる。従って、ガラス材のサッシへの取り付けを容易に行うことができる。また、バックアップ材の構造が簡単である。また、溝の幅の異なるサッシに対して、同じ寸法のバックアップ材を共用することができる。
【図面の簡単な説明】
【００１４】
【図１】本考案の一実施形態に係るバックアップ材を取り付けたガラス材をサッシに取り付ける様子を示す斜視図。
【図２】同バックアップ材の斜視図。
【図３】同バックアップ材、ガラス材及びサッシの断面図。
【図４】同バックアップ材をガラス材に取り付けた状態での断面図。
【図５】（ａ）は同ガラス材をサッシの溝に挿入した状態を示す断面図、（ｂ）は同ガラス材をサッシの溝に挿入し、シーリング材を充填した状態を示す断面図。
【図６】別の寸法例のバックアップ材、ガラス材及びサッシの断面図。
【考案を実施するための形態】
【００１５】
以下、本考案を具体化した実施形態によるバックアップ材について図面を参照して説明する。図１に示すように、バックアップ材１は、板状のガラス材１０（板状のフロートガラスまたはパネル）をサッシ２０（窓枠）の溝２１に挿入した際に、溝２１とガラス材１０との間にできる隙間を埋めるのに用いられる建築用材料である。ガラス材１０は、透明、半透明なもの以外に、不透明な遮光板等の材料を含む。バックアップ材１は、弾力のある材料により形成されており、ガラス材１０の周囲（上縁１０ａ、左右の側縁１０ｂ、底縁１０ｃ）に連続的に又は断続的に取り付けて用いられる。図示の例では、バックアップ材１は、断続的に取り付けられている。
【００１６】
サッシ２０は、内側に溝２１を有している４本の枠材で構成されている矩形の窓枠である。ガラス材１０を溝２１に挿入する場合、例えば、ねじ２２を外し、さらに、対角位置にあるねじ２３を緩めることによって枠の一部を開く。そして、サッシ２０の枠の一部を開いた状態で、バックアップ材１が取り付けられたガラス材１０の周囲の縁を、溝２１内に挿入する。この後、ねじ２２、２３を締め直し、サッシ２０をもとの状態に戻すことによって、ガラス材１０のサッシ２０への取り付け作業が完了する。なお、ガラス材１０が溝２１内で所望するよりも沈み込む場合には、ガラス材１０を溝２１の底から浮かすためのセッティングブロック（不図示）が、ガラス材１０の底縁１０ｃ又は溝２１の底に貼り付けられる。
【００１７】
図２乃至図５に示すように、バックアップ材１は、ガラス材１０の周囲の縁に当接される底部２と、底部２からガラス材１０の両面を挟むように立設された一対の壁部３、４と、を備えている。ガラス材１０は、ペアガラスである。バックアップ材１は、ポリエチレン押出発泡体、発泡樹脂、ゴム等の弾力のある材料により形成されている。バックアップ材１は、例えば、数メートルの長尺物として供給され、使用に際して適宜の長さに切って用いられる。
【００１８】
一対の壁部３、４の相対する壁面３ａ、４ａは、それぞれ平坦になっていて、バックアップ材１がガラス材１０に取り付けられる前の自然状態（図３参照）において、その間隔が底部２から上に行くに連れて狭くなっており、壁面３ａ、４ａの下端での直線間隔Ｄ１は、ガラス材１０の厚みＷ１よりも小さく、かつ、壁面３ａ、４ａの上端での直線間隔Ｄ２は、壁面３ａ、４ａの下端での直線間隔Ｄ１よりも小さくなっている。
【００１９】
底部２は、バックアップ材１がガラス材１０に取り付けられる前の自然状態において、長手方向に直交する断面視で、下に凸の円弧状とされている。底部２の厚みＤ３は、壁部３、４の上端部を壁面３ａ、４ａが互いに平行になるように押し拡げたときに、底部２が変形して平面状となるような厚みに設計されている。底部２の内底面２ａの円弧に沿った長さＤ４は、ガラス材１０の厚みＷ１と略同等とされている。長さＤ４は、壁部３、４の上端部を壁面３ａ、４ａが互いに平行になるように押し拡げたときの、壁面３ａ、４ａの下端での直線間隔（底部２の内底面２ａの幅）でもある。底部２の外底面２ｂの円弧に沿った長さＤ５は、サッシ２０の溝２１の幅Ｗ２よりも小さくなっている。長さＤ５は、壁部３、４の上端部を壁面３ａ、４ａが互いに平行になるように押し拡げたときの、底部２の外底面２ｂの幅でもある。
【００２０】
一対の壁部３、４は、互いに対称な形状になっており、上に行くに連れて壁の厚みが、底部２と繋がっている部分よりも厚くなっている。壁部３、４の上端での厚みＤ６は、サッシ２０の溝２１の幅Ｗ２からガラス材１０の厚みＷ１を差し引いた寸法の半分よりも大きくなっている。すなわち、厚みＤ６は、（Ｗ２−Ｗ１）／２よりも大きくなっている。厚みＤ６は、壁部３、４の上端面３ｃ、４ｃの幅でもある。壁部３、４の高さＤ７は、溝２１の深さＷ３から底部２の厚みＤ３を差し引いた寸法よりも小さくなっている。すなわち、高さＤ７は、Ｗ３−Ｄ３よりも小さくなっている。壁部３、４は、その上端部に、壁の厚みが略一定の壁厚一定部３１、４１を有している。壁厚一定部３１、４１の長さＤ８は、ガラス材１０の厚みＷ１、溝２１の幅Ｗ２、壁部３、４の上端での厚みＤ６、壁部３、４の高さＤ７等に応じて、適宜の長さに設計されている。
【００２１】
バックアップ材１がガラス材１０に取り付けられるに際して一対の壁部３、４間にガラス材１０が挿入されるとき（図４参照）、一対の壁部３、４が押し拡げられ、それに伴い底部２が円弧状から平面状となり、そのときの壁面３ａ、４ａの下端での直線間隔Ｄ４がガラス材１０の厚みＷ１と略同等となり、また、一対の壁部３、４の両外側面３ｂ、４ｂが底部２から上に行くに連れて両外方へ拡がった形状となる。このとき、底部２の外底面２ｂの幅Ｄ５は、サッシ２０の溝２１の幅Ｗ２よりも小さくなり、壁部３、４の外側面３ｂ、４ｂの上端での間隔Ｄ９は、サッシ２０の溝２１の幅Ｗ２よりも大きくなる。また、底部２の外底面２ｂから壁部３、４の上端までの高さＤ１０（＝Ｄ３＋Ｄ７）は、溝２１の深さＷ３よりも低くなる。
【００２２】
ガラス材１０に取り付けられたバックアップ材１は、押し拡げられた一対の壁部３、４の元に戻ろうと弾性力によって、ガラス材１０を挟持する。すなわち、ガラス材１０に取り付けられたバックアップ材１は、ガラス材１０から落下することがなく、ガラス材１０に取り付けられた状態に保持される。また、ガラス材１０に取り付けられたバックアップ材１は、一対の壁部３、４が押し拡げられたことに伴い底部２が平面状となることで、外底面２ｂから外側面３ｂ、４ｂに続く底角部２ｃが下側に出っ張らない状態になる。
【００２３】
バックアップ材１の取り付けられたガラス材１０は、バックアップ材１と一緒に、サッシ２０の溝２１に挿入される（図５（ａ）参照）。バックアップ材１の取り付けられたガラス材１０がサッシ２０の溝２１に挿入されることにより、一対の壁部３、４がガラス材１０とサッシ２０との間で圧縮される。これにより、溝２１に挿入されたガラス材１０は、圧縮された一対の壁部３、４の元に戻ろうとする弾性力によって、溝２１内で固定される。このとき、一対の壁部３、４が互いに対称な形状であるため、一対の壁部３、４が互いに同じように圧縮され、ガラス材１０は、溝２１内の中間位置に正確に位置決めされて固定される。これにより、ガラス材１０の平面に横方向の応力がかかっても、ガラス材１０が溝２１内の中間位置から偏ることがない。バックアップ材１の取り付けられたガラス材１０が溝２１に挿入された後、溝２１及びバックアップ材１の上にシーリング材２４が充填される（図５（ｂ）参照）。
【００２４】
バックアップ材１の寸法Ｄ１〜Ｄ７は、ガラス材１０の厚みＷ１、サッシ２０の溝２１の幅Ｗ２、溝２１の深さＷ３に応じて、適宜設定される。例えば、ガラス材１０（ペアガラス）の厚みＷ１＝１８ｍｍ、サッシ２０の溝２１の幅Ｗ２＝３３ｍｍ、溝２１の深さＷ３＝２０ｍｍである場合、バックアップ材１の寸法Ｄ１〜Ｄ７は、Ｄ１＝１７ｍｍ、Ｄ２＝７ｍｍ、Ｄ３＝３ｍｍ、Ｄ４＝１８ｍｍ、Ｄ５＝２５ｍｍ、Ｄ６＝１０ｍｍ、Ｄ７＝１２ｍｍ、Ｄ８＝３ｍｍ、に設定するのが好ましい。
【００２５】
また、図６に示すように、バックアップ材１は、ガラス材１０がシングルガラスである場合にも適用することができる。例えば、ガラス材１０（シングルガラス）の厚みＷ１＝８ｍｍ、サッシ２０の溝２１の幅Ｗ２＝２０ｍｍ、溝２１の深さＷ３＝１８ｍｍである場合、バックアップ材１の寸法Ｄ１〜Ｄ７は、Ｄ１＝７〜８ｍｍ、Ｄ２＝３ｍｍ、Ｄ３＝２〜３ｍｍ、Ｄ４＝８ｍｍ、Ｄ５＝１０ｍｍ、Ｄ６＝１８ｍｍ、Ｄ７＝１０ｍｍ、Ｄ８＝３ｍｍ、に設定するのが好ましい。
【００２６】
上述したように、本実施形態のバックアップ材１によれば、バックアップ材１をガラス材１０に取り付けて、バックアップ材１を取り付けたガラス材１０をサッシ２０の溝２１に挿入するだけで、一対の壁部３、４がガラス材１０とサッシ２０との間で圧縮されることにより、ガラス材１０を溝２１内の中間位置に正確に位置決めして固定することができる。
【００２７】
このとき、バックアップ材１は、一対の壁部３、４間にガラス材１０を挿入するだけで、容易にガラス材１に取り付けることができる。また、ガラス材１０に取り付けられたバックアップ材１は、一対の壁部３、４が弾性力によってガラス材１を挟むことにより、ガラス材１０に取り付けられた状態に保持される。しかも、ガラス材１０に取り付けられたバックアップ材１は、底部２が平面状となって、外底面２ｂから外側面３ｂ、４ｂに続く底角部２ｃが下側に出っ張らないため、バックアップ材１を取り付けたガラス材１０を運搬したり仮置きするときに、底角部２ｃが地面や周囲の部材に引っ掛かり難い。これにより、底角部２ｃが地面や周囲の部材に引っ掛ってバックアップ材１がガラス材１０から外れるという不測の事態を防ぐことができる。そして、ガラス材１０に取り付けられたバックアップ材１は、外底面２ｂの幅Ｄ５がサッシ２０の溝２１の幅Ｗ２よりも小さく、両外側面３ｂ、４ｂが底部２から上に行くに連れて両外方へ拡がった形状となるため、バックアップ材１を取り付けたガラス材１０をサッシ２０の溝２１に容易に挿入することができる。また、底角部２ｃが下側に出っ張らないため、底角部２ｃがサッシ２０に引っ掛かり難く、バックアップ材１を取り付けたガラス材１０をサッシ２０の溝２１に容易に挿入することができる。従って、ガラス材１０のサッシ２０への取り付けを極めて容易に行うことができる。
【００２８】
また、バックアップ材１は、一対の壁部３、４に溝や突出部を有していないので、構造が簡単である。また、バックアップ材１は、一対の壁部３、４がガラス材１０とサッシ２０との間で圧縮されることにより、ガラス材１０を溝２１内の中間位置に正確に位置決めして固定するので、溝２１の幅の異なるサッシ２０に対して、同じ寸法のバックアップ材１を共用することができる。
【００２９】
本考案は、上記実施形態の構成に限られず、考案の趣旨を変更しない範囲で種々の変形が可能である。例えば、バックアップ材１は、底部２の外底面２ｂから壁部３、４の外側面３ｂ、４ｂに続く底角部２ｃが、テーパ状又は曲面状に形成されていてもよい。このような構成によれば、バックアップ材１を取り付けたガラス材１０を運搬したり仮置きするときに、より一層、底角部２ｃが地面や周囲の部材に引っ掛かり難く、底角部２ｃが地面や周囲の部材に引っ掛ってバックアップ材１がガラス材１０から外れるという不測の事態を防ぐことができる。また、バックアップ材１を取り付けたガラス材１０をサッシ２０の溝２１に挿入するときに、より一層、底角部２ｃがサッシ２０に引っ掛かり難く、バックアップ材１を取り付けたガラス材１０をサッシ２０の溝２１に容易に挿入することができる。
【００３０】
また、バックアップ材１は、壁部３、４の外側面３ｂ、４ｂから上端面３ｃ、４ｃに続く上角部３ｄ、４ｄが、テーパ状又は曲面状に形成されていてもよい。このような構成によれば、バックアップ材１を取り付けたガラス材１０をサッシ２０の溝２１に挿入した後、不測の事態により、サッシ２０の溝２１からガラス材１０及びバックアップ材１を取り出す必要が生じたときに、バックアップ材１の上角部３ｄ、４ｄがサッシ２０に引っ掛かり難く、バックアップ材１を溝２１から取り出し易い。
【産業上の利用可能性】
【００３１】
本考案は、サッシ２０の溝２１にガラス材１０の周囲の縁を挿入し、その両側にバックアップ材１を挿入することによって、ガラス材１０の位置を固定するような種々の構造物に使用することができる。
【符号の説明】
【００３２】
１    バックアップ材
２    底部
２ａ    内底面
２ｂ    外底面
２ｃ    底角部
３、４    壁部
３ａ、４ａ    壁面
３ｂ、４ｂ    外側面
３ｃ、４ｃ    上端面
３ｄ、４ｄ    上角部
１０    ガラス材
２０    サッシ
２１    溝
２４    シーリング材
３１、４１    壁厚一定部
【図１】
0003196655.tif 000003
【図２】
0003196655.tif 000004
【図３】
0003196655.tif 000005
【図４】
0003196655.tif 000006
【図５】
0003196655.tif 000007
【図６】
0003196655.tif 000008